(57)【要約】      （修正有）【課題】歯顎矯正用ネジ装置の提供。【解決手段】ネジ部に平台部６３が接続され、該平台部が頭部６２と分離可能に組み合わされ、該頭部と該平台部が組み合わされる時、該頭部が該平台部の外に露出して歯顎矯正用のスプリング１５を係止するのに用いられる。該頭部は取り外し可能であることから、使用者が各種タイプの頭部を設計及び運用でき、ゆえに同じ平台部に異なる頭部を配置可能で、異なる歯列矯正処理に適用される。またこのようなネジ装置の製造コストは低いが、使いやすさと便利性は高い。該ネジ部は漸次細くなり、且つ該ネジ部のネジ山は平台部に近い第１ネジ配列が該平台部より離れた第２ネジ配列より密に設けられている。【選択図】図３
0003106853.tif 000002
【実用新案登録請求の範囲】
【請求項１】
歯顎矯正用ネジ装置において、
軸方向に所定長さ延伸され、且つ径方向にネジ山を具えたネジ部と、
該ネジ部と接続されて一体とされ、上平面と下平面を具えた平台部と、
該平台部と分離可能に結合された頭部を具え、
該頭部は、被覆部と、該被覆部の底部側面に接続されて第１結合部と結合可能で該頭部を該平台部に固定するのに供される第２結合部と、該被覆部の上部側面に接続されて歯列矯正を補助する付属部品と、を具え、
該第２結合部と第１結合部の結合後に該付属部品が該平台部の外に露出することを特徴とする、歯顎矯正用ネジ装置。
【請求項２】
請求項１記載の歯顎矯正用ネジ装置において、ネジ部のネジ山は平台部に接近する第１ネジ山配列が平台部６３より離れた第２ネジ山配列より密とされ、並びにネジ部の該平台部より離れた後端が漸次細くなり、且つ該後端の漸次細くなる角度が２から１０度とされたことを特徴とする、歯顎矯正用ネジ装置。
【請求項３】
請求項１記載の歯顎矯正用ネジ装置において、付属部品が頸部を具え、該頸部は被覆部より軸方向に沿って延伸され、該頸部が単一の幅を具えて歯顎矯正用スプリングとの係合に供され、並びに該頸部に球頭が接続され、該球頭の直径が頸部の幅より大きく歯顎矯正用スプリングの脱落が防止されたことを特徴とする、歯顎矯正用ネジ装置。
【考案の詳細な説明】
【技術分野】
【０００１】
本考案は一種の歯顎矯正用ネジ装置に係り、特に顎骨に設置されて歯顎矯正用のスプリングを直接位置決めするか或いは矯正ワイヤを収容することができるネジ装置に関する。
【背景技術】
【０００２】
図１に示されるように、伝統的な歯顎矯正は手術により一部の顎骨１０を切除するかいずれかの歯牙１２（通常犬歯）を抜き取った後に、矯正ワイヤ１３で歯牙１２或いは顎骨１０を引っ張り手術後の顎骨１０の癒合或いは歯牙１２位置の矯正を補助する。矯正ワイヤ１３の歯牙１２に対する位置を維持するため、一般には若干の矯正サポートフレーム１４が歯牙１２に接合され、各矯正サポートフレーム１４には特殊な矯正凹溝１４１が設けられて矯正ワイヤ１３を収容する。特殊な矯正凹溝１４１の幅と深さは矯正ワイヤ１３の直径よりやや大きい必要があり、これにより矯正ワイヤ１３を特殊な矯正凹溝１４１の延伸方向に沿って適量スライド可能とするほか、矯正ワイヤ１３が特殊な矯正凹溝１４１より脱落するのを防止する。
【０００３】
矯正ワイヤ１３に対して引っ張り力を提供するため、従来は臼歯１２１付近の顎骨１０にネジ２０を固定し、更にスプリング１５或いは輪ゴムをネジ２０と矯正ワイヤ１３末端の間に接続し、適量の引っ張り力を提供している。現在市販されているこのような歯顎矯正専用スプリング１５はその末端にフックリング１５１が設けられている。このためスプリング１５と矯正ネジ１３の末端の結合に対しては、矯正ワイヤ１３末端を折り曲げてフック状構造１３１を形成し、これによりスプリング１５末端のフックリング１５１を矯正ワイヤ１３の末端のフック状構造１３１に係止させて、両者の接続を完成することができる。スプリング１５とネジ２０の間の結合はこれに較べて困難である。
【０００４】
特許文献１及び２には本考案者が歯顎矯正用ネジに対して行なった二組の例が記載され、このような歯顎矯正用ネジの臨床操作上、便利で且つ良好な効果を獲得している。
【０００５】
【特許文献１】米国特許公開第ＵＳ２００３／０２２４３１５  Ａ１号明細書
【特許文献２】米国特許公開第ＵＳ２００４／００２３１８２  Ａ１号明細書
【考案の開示】
【考案が解決しようとする課題】
【０００６】
本考案の主要な目的は、一種の歯顎矯正用ネジ装置を提供することにあり、このネジ装置は、ネジ部、平台部及び頭部を具えている。そのうち該頭部は歯顎矯正用のスプリングを係止するのに用いられ、該頭部は該平台部の外に露出し、且つ該平台部より取り外し可能である。該頭部が取り外し可能とされたことにより、使用者は各種タイプの頭部を設計及び運用可能で、同じ平台部に異なる頭部を組み合わせることができ、これにより異なる歯列矯正処理に適用可能である。また、このようなネジ装置の製造コストは低いが、適用性と便利性は高いものとする。
【０００７】
本考案の別の目的は、一種の歯顎矯正用ネジ装置を提供することにあり、そのネジ部のネジ山は平台部に近い第１ネジ配列が該平台部より離れた第２ネジ配列より密に設けられ、ゆえにネジ装置が緊密強固に任意の疎密度の骨頭内に取付られるものとする。
【０００８】
本考案の更なる目的は、一種の歯顎矯正用ネジ装置を提供することにあり、それは、ネジ部の該平台部より離れた後端の漸次細くなる部分の角度設計が２〜１０度とされ、これにより該ネジ装置が緊密強固に任意の疎密度の骨頭内に取付られるものとする。
【課題を解決するための手段】
【０００９】
請求項１の考案は、歯顎矯正用ネジ装置において、
軸方向に所定長さ延伸され、且つ径方向にネジ山を具えたネジ部と、
該ネジ部と接続されて一体とされ、上平面と下平面を具えた平台部と、
該平台部と分離可能に結合された頭部を具え、
該頭部は、被覆部と、該被覆部の底部側面に接続されて第１結合部と結合可能で該頭部を該平台部に固定するのに供される第２結合部と、該被覆部の上部側面に接続されて歯列矯正を補助する付属部品と、を具え、
該第２結合部と第１結合部の結合後に該付属部品が該平台部の外に露出することを特徴とする、歯顎矯正用ネジ装置としている。
請求項２の考案は、請求項１記載の歯顎矯正用ネジ装置において、ネジ部のネジ山は平台部に接近する第１ネジ山配列が平台部６３より離れた第２ネジ山配列より密とされ、並びにネジ部の該平台部より離れた後端が漸次細くなり、且つ該後端の漸次細くなる角度が２から１０度とされたことを特徴とする、歯顎矯正用ネジ装置としている。
請求項３の考案は、請求項１記載の歯顎矯正用ネジ装置において、付属部品が頸部を具え、該頸部は被覆部より軸方向に沿って延伸され、該頸部が単一の幅を具えて歯顎矯正用スプリングとの係合に供され、並びに該頸部に球頭が接続され、該球頭の直径が頸部の幅より大きく歯顎矯正用スプリングの脱落が防止されたことを特徴とする、歯顎矯正用ネジ装置としている。
【考案の効果】
【００１０】
本考案の歯顎矯正用ネジ装置は、ネジ部、平台部及び頭部を具えている。そのうち該頭部は歯顎矯正用のスプリングを係止するのに用いられ、該頭部は該平台部の外に露出し、且つ該平台部より取り外し可能である。該頭部が取り外し可能とされたことにより、使用者は各種タイプの頭部を設計及び運用可能で、同じ平台部に異なる頭部を組み合わせることができ、これにより異なる歯列矯正処理に適用可能である。また、このようなネジ装置の製造コストは低いが、適用性と便利性は高い。
【００１１】
本考案の歯顎矯正用ネジ装置を提供は、そのネジ部のネジ山は平台部に近い第１ネジ配列が該平台部より離れた第２ネジ配列より密に設けられ、ゆえにネジ装置が緊密強固に任意の疎密度の骨頭内に取付られる。
【００１２】
本考案の歯顎矯正用ネジ装置は、ネジ部の該平台部より離れた後端の漸次細くなる部分の角度設計が２〜１０度とされ、これにより該ネジ装置が緊密強固に任意の疎密度の骨頭内に取付られる。
【考案を実施するための最良の形態】
【００１３】
以下に述べる顎骨１０、歯肉１１、歯牙１２、矯正ワイヤ１３、矯正サポートフレーム１４、及び歯顎矯正用スプリング１５（或いは輪ゴム）等の部品及びその口腔に取り付けられる相対位置は、いずれも図１に示される周知の技術と同じであり且つ本考案の技術特徴ではないため、同じ部品名称と符号を使用し且つその詳細な構成、取付位置と機能についての説明は省略した。特に、図１に示される従来の技術の実施例中には矯正装置が上顎外側に取り付けられた実施例のみ記載されているが、それは下顎或いは歯顎内側にも取付可能である。
【００１４】
図２、３を参照されたい。そのうち図２は本考案の歯顎矯正用ネジ装置の第１実施例を示し、図３は図２の歯顎矯正用ネジ装置が上顎或いは下顎に取り付けられて歯顎矯正を行なう表示図である。
【００１５】
図２、３に示されるように、本考案の第１実施例のネジ６０は、柱状のネジ部６１、平台部６３及び頭部６２を具え、そのうちネジ部６１は軸方向に所定の長さ延伸され、且つ径方向上にネジ山を具え、該平台部６３は軸方向に沿ってネジ部６１と一体に接続され、頭部６２は別の独立した部品とされる。ネジ部６１と頭部６２の材質はチタン合金或いはステンレス或いはその他の人体に無害の剛性材質とされる。
【００１６】
この実施例中、該ネジ部６１のネジ山は、平台部６３に接近する第１ネジ山６１２の配列が該平台部より離れた第２ネジ山６１３の配列よりも密であり、且つ該ネジ部６１は平台部６３より離れた後端が漸次細くなり、本実施例では、その漸次細くなる角度は２から１０度である。このような設計により、使用者（例えば歯科医師）は楽にネジ６０を物品（例えば病人の上顎骨或いは下顎骨）にねじ込むことができる。ネジ部６１の底部尖端（後端６１４）は細く、且つ第２ネジ山６１３の配列が疎であるため、使用者は大きな力を加えなくともそれをねじ込むことができる。使用者が全体のネジ部６１を物品にねじ込む必要がある時、該ネジ部６１は次第に増大する直径及び密に配置された第１ネジ山６１２により緊密で安全な螺着力を提供できる。当然、配列が密である第１ネジ山６１２を物品にねじ込む時、使用者は比較的大きな力でそれをねじ込まねばならない。ネジ部６１の後端がネジ山配列が疎であり漸次細くなる設計とされたことのもう一つの長所は、人の上顎或いは下顎は砕け易い内部構造と硬く強固な外部構造を有するため、ネジ部６１の後端がネジ山配列が疎であり漸次細くなる設計とされたことで、上顎骨或いは下顎骨内の砕け易い内部構造の損害を防止でき、且つ強固にネジ部６１を物品に螺着できることである。このほか、更にネジ部６１の外表面（例えばネジ山表面）の粗化によりネジ部６１と物品（例えば上顎骨或いは下顎骨）間の摩擦力を増すことができ、これにより本考案のネジ６０と物品の螺着を更に強固とすることができる。ネジ山表面の粗化の方法には、ケミカルエッチング、及びその他の常用の技術を使用できる。常用されるＨＡ粒子もまたネジ山表面に使用可能で、バイオ医療効果を増すことができる。
【００１７】
当然、該平台部６３の第１ネジ山６１２の配列設計は該平台部より離れた第２ネジ山６１３より疎とすることができ、これは上顎骨或いは下顎骨の砕けやすい内部構造及び強固な外部構造の厚さが異なる患者に使用される。
【００１８】
該平台部６３は更に、平坦な上表面６３１、第１結合部６３２、滑らかな外表面部６３４を具えている。本実施例では、該平台部６３の径方向幅はネジ部６１と頭部６２の径方向幅より広い。該滑らかな外表面部６３４は平滑でネジ山のない表面であり、該滑らかな外表面部６３４の形状は図２に示されるようであるか或いは多角形の形状とされ（例えば、平面図より分かるとおり）。この平坦な上表面６３１はネジ部６１に垂直に設置され、第１結合部６３２は該平坦な上表面６３１に設けられ、且つ第１結合部６３２はネジ孔６３２１と六角形構造６３２２を具え、そのうちネジ孔６３２１は頭部６２を固定するのに用いられ、該六角形構造６３２２は使用者が工具を利用してネジ部６１を物品中にねじ込むのに使用される。平坦な下平面６３３がネジ部６１の上端に隣接され、且つネジ部６１に垂直であり、ゆえにネジ部６１が完全に物品内にねじ込まれる時、平坦な下平面６３３は該物品（上顎骨或いは下顎骨１０）の表面に接触しうる。これは図３に示されるとおりである。このような設計はネジの螺着が非常に強固であり、且つ歯肉１１の癒合が速く、歯肉１１癒合後の表面が整った外観を有する。使用者（歯科医）もまたネジ部６１全体を物品（上顎骨或いは下顎骨１０）にねじ込まないことを選択でき、この時、平坦な下平面６３３と物品（上顎骨或いは下顎骨１０）の間にはギャップが保留されるが、平坦な下表面６３３は平面であり、且つ滑らかな外表面部６３４は平滑表面であるため、それらはいずれも歯肉１１の癒合を幇助する。
【００１９】
頭部６２は平台部６３と分離可能で、且つ頭部は更に被覆部６２１、第２結合部６２２、及び付属部品６２３を具えている。そのうち該第２結合部６２２は該被覆部６２１の底部側面に接続され、且つ該第２結合部６２２は第１結合部６３２と結合可能で、該頭部６２を該平台部６３に固定するのに用いられる。本実施例では、第２結合部６２２はネジとされる。該付属部品６２３は該被覆部６２１の上部側面に接続されて歯列矯正幇助に用いられる。且つ該第２結合部６２２と第１結合部６３２が結合された後、該付属部品６２３は該平台部６３の外に露出し、ゆえに歯顎矯正用スプリング１５（或いは輪ゴム）を付属部品６２３に係止可能とされる。本実施例では付属部品６２３は更に頸部を具え、該頸部（付属部品６２３）は被覆部６２１より該ネジ部６１の軸方向に沿って延伸され、且つ該頸部は単一の幅を有して歯顎矯正用スプリング１５の係合に供される。該頸部（付属部品６２３）は移動可能なフックを形成して歯顎矯正用スプリング１５の一端を係止し、そのうち該頸部（付属部品６２３）に球頭６２４が接続され、該球頭６２４の直径は該頸部の幅より大きく、これにより歯顎矯正用スプリング１５の脱落が防止される。該頸部が被覆部６２１よりネジ部６１の軸方向に沿って延伸された設計とされる理由は、該平台部６３の厚さにより歯顎矯正用スプリング１５が歯肉表面構造を傷害するのを防止することにある。
【００２０】
図４から図１３は本考案の頭部６２ａ〜６２ｈ、６２ｘ及び６２ｙの好ましい実施例表示図である。本考案の好ましい実施例中、頭部６２は分離して交換可能であり、ゆえに頭部６２は異なる形式の頭部６２ａ〜６２ｊ、６２ｘ、６２ｙに設計可能で、同じ平台部６３及びネジ部６１と組み合わされて異なる目的の歯顎矯正に用いられ、これらのネジ６０の応用性と便利性が増されている。この時、一種類の携帯の平台部６３とネジ部６１を製造するだけでよく、これによりネジ装置の製造コストを減らすことができる。図４に示される実施例では、頭部６２ａの付属部品６２３ａは逆Ｌ形構造とされる。図５では頭部６２ｂの付属部品６２３ｂはフック状構造とされている。図６では、頭部６２ｃの付属部品６２３ｃは凹溝とされ、該凹溝（付属部品６２３ｃ）は更にその他のアクセサリ、例えば矯正サポートフレームと接続されて顎矯正の要求に符号するものとされる。図７では、付属部品のない頭部６２ｄが形成され、ゆえに被覆部６２１ｄが上平面を具え、使用者が任意のアクセサリを該上表面に接合させるかさせないかを選択できる。図８では、頭部６２ｅの付属部品６２３ｅは矯正サポートフレーム構造とされる。図９では、頭部６２ｆの付属部品６２３ｆは図２に示される棒状の頸部とされるが、本実施例の被覆部６２１ｆは比較的厚く設計され、並びに矩形穿孔６６が形成されて矯正ワイヤの通過に供される。図１０では頭部６２ｇの付属部品６２３ｇは多数の平面６２３１を具えた立方体とされ、付属部品（矯正サポートフレーム）が多数の平面６２３１のうちの一つに設けられて歯顎矯正を補助する。図１１では、頭部６２ｈの付属部品６２３ｈは棒状の頸部６８を具えた立方体とされ、該棒状の頸部６８はスプリングを係止でき、更に立方体に穿孔６９が形成されて矯正ワイヤの通過に供される。図１２では、頭部６２ｘの付属部品６２３ｘは大斜面６２３２ｘを具えた錐体とされ、該斜面６２３２ｘに部品を添加して歯列矯正の処理を幇助でき、該斜面６２３２ｘと被覆部６２１ｘの間の夾角θ1 は３０度、４５度、６０度或いはその他の角度とされうる。図１３では、頭部６２ｙの大部分の部品は図１２と同じであり、このため同じ部分の説明は省略するが、異なるところは、該頭部６２ｙの斜面６２３２ｙが被覆部６２１ｙまで直接延伸され、ゆえに斜面６２３２ｙと被覆部６２１ｙの間の夾角θ２が小さく、約１０度から６０度の間とされて、異なる場合に適用される。
【００２１】
図１４は本考案の平台部６３ｉとネジ部６１ｉの別の実施例を示す。本実施例では、該平台部６３ｉはネジ部６１ｉと等しい径方向直径を有し、並びに該平台部６３ｉの平坦な上表面６３１ｉに六角形凹溝６４が形成され、工具を該六角形凹溝６４に嵌合してネジをねじ込むことができる。
【００２２】
図１５は本考案の歯顎矯正用ネジ６０ｊ装置の第３実施例を示し、本実施例中、該ネジ６０ｊの平台部６３ｊの平坦な上表面６３１ｊに多角形凹溝６３６（第１結合部）が設けられ、且つ角形凹溝６３６とネジ部６１ｊが同一軸方向上に位置し、更に該頭部６２ｊの第２結合部もまた多角形柱６２６に設計され、ゆえに多角形柱６２６が多角形凹溝６３６に挿入され、並びに接着剤で固定される。
【００２３】
図１６は本考案の歯顎矯正用ネジ６０ｋ装置の第４実施例を示し、本実施例中、ネジ６０ｋの平台部６３ｋの平坦な上表面６３１ｋに複数のピンシート６３７が設けられ、更に、該頭部６２ｋの第２結合部は複数のピン６２７として設計され、ゆえに複数のピン６２７が複数のピンシート６３７に挿入されて接着剤で固定される。
【００２４】
図１７は本考案の歯顎矯正用ネジ６０１装置の第５実施例を示す。本実施例中、ネジ６０１の平台部６３１の平坦な上表面６３１１に複数のピンシート６３８が設けられ、更に頭部６２１の第２結合部は複数のピン６２８として設計され、ゆえに複数のピン６２８が複数のピンシート６３８に挿入されて接着剤で固定される。そのうち、該頭部６２１に二つの交叉する矩形溝６２９が形成され、該矩形溝６２９は平台部６３１の平坦な上表面６３１１と相互に対応し、ゆえに頭部６２１と平台部６３１が結合された後、二つの交叉する矩形溝６２９が矯正ワイヤの通過に供される二つの孔を形成する。
【００２５】
図１８は本考案のネジ部７１の第６実施例の部分拡大図である。本実施例中、ネジ部７１の平台部７３に接近する第１ネジ山７１０はネジ山自体の幅Ｄ＝０．５〜０．７５ｍｍの細いネジ山とされ、該平台部７３より離れた第２ネジ山７１１はネジ山自身の幅が第１ネジ山より広いものとされている（Ｄ＞０．７５ｍｍ）。ネジを固定する時、患者の上顎骨或いは下顎骨の硬く強固な外部構造（皮質骨）内に更に多くの複数周の第１ネジ山７１０を以てねじ込まれる。これは第１ネジ山７１０の設計が細いネジ山の方式とされることで、単位体積内のネジ山付着量が増し、これによりネジ山固定後の強度が増されるためである。
【００２６】
図１０は本考案の歯顎矯正用ネジ８０１装置の第７実施例を示す。本実施例中、ネジ部の平台部８３に接近する部分はネジ山のないブランク部分８１０とされ、ゆえにネジ山８１１と平台部６３の間にブランク部分８１０が形成されている。歯顎矯正用ネジ８０１が患者の上顎骨或いは下顎骨にねじ込まれる時、歯顎矯正用ネジ８０１の平滑なブランク部分８１０が上顎骨或いは下顎骨内の軟組織と接触し、上顎骨或いは下顎骨内の軟組織の摩擦損害を防止し、ゆえに特殊部位に応用される。
【００２７】
図２０と図２１は本考案の歯顎矯正用ネジ９０１装置の第８実施例を示す。本実施例中、歯顎矯正用ネジ９０１が傾斜角度を以て患者の上顎骨或いは下顎骨にねじ込まれる時、ワッシャ９１０が緩衝、固定のために加えられる。このとき、ワッシャ９１０は歯顎矯正用ネジ９０１より少し突出する。図２１に示されるように、本実施例中、歯顎矯正用ネジ９０１が締めつけられる時、ワッシャ９１０が下圧され、ワッシャ９１０の歯顎矯正用ネジ９０１より突出する部分が収縮させられ、並びにワッシャ９１０の弾性回復力と歯顎矯正用ネジ９０１の固定力のバランスにより、固着力増加の効果が達成される。歯顎矯正用ネジ９０１はスプリング（図示せず）の引っ張り力ｆを受けて強固に患者の上顎骨或いは下顎骨に固定され、弛みやスライドの現象を発生しない。
【００２８】
図２２は本考案の歯顎矯正用ネジ９０ａ装置の第９実施例を示す。そのうち、ネジ９０ａは一体成形で形成された単一部品であり、それはネジ部９１ａ、平台部９３ａ、及び頭部９２ａを具えている。方形貫通孔９６ａが頸部９２３ａに形成されて矯正ワイヤの通過に供される。頭部９２ａに矯正フレーム９２４ａが設けられて矯正ワイヤ（図示せず）を収容する。頭部９２ａに更に耳状凹部９２５ａが設けられてそれは矯正フレーム９２４ａ周囲に下向きに形成され、使用者がワイヤ１５０或いは輪ゴムを掛けるのに供される。
【００２９】
図２３は本考案の歯顎矯正用ネジ９０ｂ装置の第１０実施例を示す。ネジ９０ｂはネジ部９１ｂ、平台部９３ｂ、及び頭部９２ｂを具えている。該頭部９２ｂは独立した分離可能な部品とされ、それは平蓋９２１ｂ、第２結合構造９２２ｂ（例えばネジ）、頸部９２３ｂ、矯正フレーム９２４ｂ及び耳状凹部９２５ｂを具えている。該平台部９３ｂに更に第１結合構造９３２ｂ（例えばネジ孔）が設けられて第２結合構造９２２ｂとの結合に供される。頸部９２３ｂに方形貫通孔９６ｂが設けられて矯正ワイヤの通過に供される。
【００３０】
図２４、２５は本考案の歯顎矯正用ネジ９３ｃ、９０ｄの第１１と第１２実施例を示す。図２４中、歯顎矯正用ネジ９０ｃの平台部９３ｃに方形貫通孔９６ｃが設けられ、図２５中、貫通孔９６ｄは頸部９２３ｄに設けられている。歯顎矯正用ネジ９０ｃと９０ｄはいずれも一体成形された単一部品とされるのがよい。
【００３１】
図２６は本考案の歯顎矯正用ネジ９０ｅ装置の第１３実施例である。該ネジ９０ｅは、ネジ部９１ｅ、平台部９３ｅ、及び頭部９２ｅを具えている。該頭部９２３はＬ形を呈する頸部９２３ｅを具え、且つ頸部９２３ｅの末端に円球頭９２４ｅが設けられて、それが係止する矯正スプリングの脱落を防止する。ネジ部９１ｅは錐状の漸次細くなる設計とされ、その平台部９３ｅに接近する上側部分に無ネジ山区域が設けられている。該平台部９３ｅに方形貫通孔９６ｅが設けられている。
【００３２】
以上の実施例は本考案の範囲を限定するものではなく、本考案に基づきなしうる細部の修飾或いは改変は、いずれも本考案の範囲に属するものとする。
【図面の簡単な説明】
【００３３】
【図１】周知の技術の歯顎矯正用ネジ装置の口腔中に取り付けられた実施例表示図である。
【図２】本考案の歯顎矯正用ネジ装置の第１実施例表示図である。
【図３】図２の本考案の歯顎矯正用ネジ装置を上顎或いは下顎に取り付けて歯顎矯正を行なう表示図である。
【図４】本考案の頭部６２ａの好ましい実施例表示図である。
【図５】本考案の頭部６２ｂの好ましい実施例表示図である。
【図６】本考案の頭部６２ｃの好ましい実施例表示図である。
【図７】本考案の頭部６２ｄの好ましい実施例表示図である。
【図８】本考案の頭部６２ｅの好ましい実施例表示図である。
【図９】本考案の頭部６２ｆの好ましい実施例表示図である。
【図１０】本考案の頭部６２ｇの好ましい実施例表示図である。
【図１１】本考案の頭部６２ｈの好ましい実施例表示図である。
【図１２】本考案の頭部６２ｘの好ましい実施例表示図である。
【図１３】本考案の頭部６２ｙの好ましい実施例表示図である。
【図１４】本考案の平台部６３ｉとネジ部６１ｉの第２実施例表示図である。
【図１５】本考案の歯顎矯正用ネジ６０ｊ装置の第３実施例表示図である。
【図１６】本考案の歯顎矯正用ネジ６０ｋ装置の第４実施例表示図である。
【図１７】本考案の歯顎矯正用ネジ６０１装置の第５実施例表示図である。
【図１８】本考案のネジ部７１の第６実施例表示図である。
【図１９】本考案の歯顎矯正用ネジ８０１装置の第７実施例表示図である。
【図２０】本考案の歯顎矯正用ネジ９０１装置の第８実施例の固定前の表示図である。
【図２１】本考案の歯顎矯正用ネジ９０１装置の第８実施例の固定後の表示図である。
【図２２】本考案の歯顎矯正用ネジ９０ａ装置の第９実施例表示図である。
【図２３】本考案の歯顎矯正用ネジ９０ｂ装置の第１０実施例表示図である。
【図２４】本考案の歯顎矯正用ネジ９０ｃ装置の第１１実施例表示図である。
【図２５】本考案の歯顎矯正用ネジ９０ｄ装置の第１２実施例表示図である。
【図２６】本考案の歯顎矯正用ネジ９０ｅ装置の第１３実施例表示図である。
【符号の説明】
【００３４】
１０  顎骨                    １１  歯肉
１２  歯牙                    １２１  臼歯
１３  矯正ワイヤ              １３１  フック状構造
１４  矯正サポートフレーム    １４１  特殊な矯正凹溝
１５  歯顎矯正用スプリング    １５１  フックリング
１６  結束ワイヤ              ２０  ネジ
６０、８０１、９０１、９０ａ〜９０ｅ  歯顎矯正用ネジ
６１、７１、９１ａ  ネジ部    ６２、９２ａ  頭部
６３、８３、９３ａ  平台部    ６１２  第１ネジ山
６１３  第２ネジ山            ６１４  後端
６２１  被覆部                ６２２  第２結合部
６２３  付属部品              ６２４  球頭
６２６  多角形柱              ６２７  ピン
６３１  上平面                ６３２  第１結合部
６３３  下平面                ６３４  表面部
８１０  ブランク部分          ９１０  ワッシャ
【図１】
0003106853.tif 000003
【図２】
0003106853.tif 000004
【図３】
0003106853.tif 000005
【図４】
0003106853.tif 000006
【図５】
0003106853.tif 000007
【図６】
0003106853.tif 000008
【図７】
0003106853.tif 000009
【図８】
0003106853.tif 000010
【図９】
0003106853.tif 000011
【図１０】
0003106853.tif 000012
【図１１】
0003106853.tif 000013
【図１２】
0003106853.tif 000014
【図１３】
0003106853.tif 000015
【図１４】
0003106853.tif 000016
【図１５】
0003106853.tif 000017
【図１６】
0003106853.tif 000018
【図１７】
0003106853.tif 000019
【図１８】
0003106853.tif 000020
【図１９】
0003106853.tif 000021
【図２０】
0003106853.tif 000022
【図２１】
0003106853.tif 000023
【図２２】
0003106853.tif 000024
【図２３】
0003106853.tif 000025
【図２４】
0003106853.tif 000026
【図２５】
0003106853.tif 000027
【図２６】
0003106853.tif 000028